(57)【特許請求の範囲】
【請求項１】
２つの気室を備えた全密封式圧電霧化モジュールであって、
中心部に第１とおり穴を設け、内部に第１環状シール材通路を設け、前記第１環状シール材通路にて、少なくとも一つの第１位置決めバンプを設ける第１ケーシングと、
中心部に第２とおり穴を設け、内部に第２環状シール材通路を設け、前記第２環状シール材通路にて、少なくとも一つの第２位置決めバンプを設ける第２ケーシングと、
面一に注入する技術を用いてシール材を前記第１環状シール材通路と前記第２環状シール材通路に塗布し、周縁部をそれぞれ前記第１位置決めバンプと前記第２位置決めバンプに組み込んで接着固定することによって、前記第１ケーシングと、前記第２ケーシングを密閉したシール状態に形成すると共に、前記第１ケーシングと、前記第２ケーシングを第１気室と第２気室に仕切る圧電霧化モジュールと、を備え、前記第１ケーシングの表面に第１チェック穴を設け、前記第２ケーシングの表面に第２チェック穴を設けることを特徴とする、２つの気室を備えた全密封式圧電霧化モジュール。
【請求項２】
前記第１ケーシングの外壁表面にて少なくとも一つの嵌め溝を凹設すると共に、前記第２ケーシングの外壁表面はこれらの前記嵌め溝に対応して、少なくとも一つの係着部が延設され、前記第２ケーシングは前記係着部によって、前記第１ケーシングの前記嵌め溝に係着固定することを特徴とする、請求項１記載の２つの気室を備えた全密封式圧電霧化モジュール。
【請求項３】
前記第１ケーシングの内部に複数の第１肋材を設けていて、かつ前記第１とおり穴の円心を中心として等間隔の放射状分布に設置し、前記第２ケーシングの内部に複数の第２肋材を設けていて、かつ前記第２とおり穴の円心を中心として等間隔の放射状分布に設置する、請求項１記載の２つの気室を備えた全密封式圧電霧化モジュール。
【請求項４】
前記第１ケーシングが前記第１とおり穴との隣接場所にアーチ面デザインを形成していて、かつ前記第２ケーシングの外面が前記第２とおり穴に隣接する場所もアーチ面デザインを形成することを特徴とする、請求項１記載の２つの気室を備えた全密封式圧電霧化モジュール。
【請求項５】
前記圧電式霧化モジュールと前記第１とおり穴との間に使用される密封シール材と、前記圧電式霧化モジュールと前記第２とおり穴との間で使用されるシール材の両表面とも外側に延在したアーチ面を形成することを特徴とする、請求項１記載の２つの気室を備えた全密封式圧電霧化モジュール。
【発明の詳細な説明】
【技術分野】
【０００１】
本発明は電子式霧化器に関し、特に圧電霧化モジュールを全密封ケーシングの内部にパッケージさせ、独立した２つの気室を形成することによって、噴霧及び保護効果を確保できる、２つの気室を備えた全密封式圧電霧化モジュールに関する。
【背景技術】
【０００２】
市販されている一般の噴霧モジュールは、圧電気部材の圧電アクチュエータ（または振動素子という）と、霧化素子と、構造シートより構成されている。霧化される液体に接触すると、圧電アクチュエータが駆動し霧化される液体を圧縮することによって、霧化される液体を霧化素子の微小穴から噴霧させる。しかし、この種の圧電アクチュエータを構成する部材には往々にして重金属（例えば、鉛など）が含まれているため、液体と反応し析出され、使用時に霧化される液体に接触して、圧電アクチュエータから重金属に汚染された液体が噴出しまい、使用者が吸入または接触する恐れがある。さらに、前述圧電アクチュエータ、霧化素子及び構造シートは、一般として溶接または硬化構造シール材を用いて接合されている。しかし、前述いずれかの手段を用いた接合は、霧化される液体、特に薬液に塩素イオン、強酸化剤または腐食成分を含むときは、接合面の溶接部材または硬化構造シール材と液体との接触によって、化学反応が腐食破壊や構造接着力の低下を引き起こし、霧化器構造全体が分解し使用寿命に影響する。
【先行技術文献】
【特許文献】
【０００３】
【特許文献１】米国特許ＵＳ  ７，７７１，６４２  Ｂ２号
【特許文献２】米国特許ＵＳ  ７，８９１，３５２  Ｂ２号
【発明の概要】
【発明が解決しようとする課題】
【０００４】
前述課題を解決するため、この種の圧電霧化モジュールは弾性体（例えば、Ｏリング）を仕切り機構とするものや、または弾性体とその他の構成品との組みあわせによる圧迫仕切りなどの方式を採用し霧化される液体と圧電アクチュエータとの接触を少なくさせるか、またはその接触面積を少なくさせる手段が採られている。
【０００５】
図１、米国特許ＵＳ  ７，７７１，６４２  Ｂ２号（特許文献１）の構造態様図を参照する。図に示すように、米国特許ＵＳ  ７，７７１，６４２  Ｂ２号（特許文献１）「Ｍｅｔｈｏｄｓ  ｏｆ  ｍａｋｉｎｇ  ａｎ  ａｐｐａｒａｔｕｓ  ｆｏｒ  ｐｒｏｖｉｄｉｎｇ  ａｅｒｏｓｏｌ  ｆｏｒ  ｍｅｄｉｃａｌ  ｔｒｅａｔｍｅｎｔ（医療に提供するエアゾール装置の製造方法）」によれば、ゴムまたは弾性体から形成する密封部材１  （ａ  ｓｅａｌｉｎｇ  ｍｅｍｂｅｒ）を霧化素子１１  （ａｎ  ａｅｒｏｓｏｌｉｚａｔｉｏｎ  ｅｌｅｍｅｎｔ）と、振動素子１２  （ａ  ｖｉｂｒａｔｏｒｙ  ｅｌｅｍｅｎｔ）と、アクチュエータ１３  （ｔｈｅ  ａｃｔｕａｔｏｒ）に完全密着させ、前記密封部材１によって、前記振動素子１２に防水及び仕切り効果を提供し流体による侵食を避ける。しかし、この種の霧化器を使用するときは、密封部材１を振動素子１２に密着させた設計によって、振動素子１２の振動区域が制限されるほかに、完全に密着させた設計が振動素子１２から発生する振動エネルギーがゴムまたは弾性体から形成された密封部材１によって吸収及び抑制されてしまうため、噴霧効率を低下させる。
【０００６】
引き続き図２Ａ、米国特許ＵＳ  ７，８９１，３５２  Ｂ２号（特許文献２）の構造態様図を参照する。図に示すものは、米国特許ＵＳ  ７，８９１，３５２  Ｂ２号（特許文献２）「Ａｅｒｏｓｏｌ  ｇｅｎｅｒａｔｉｎｇ  ｍｅａｎｓ  ｆｏｒ  ｉｎｈａｌａｔｉｏｎ  ｔｈｅｒａｐｙ  ｄｅｖｉｃｅｓ」（吸入治療装置の噴霧発生手段）によれば、封入チャンバー２（ａｎ  ｅｎｃａｐｓｕｌａｔｉｎｇ）には、２つの弾性密封リップ２１（ｔｗｏ  ｆｌｅｘｉｂｌｅ  ｓｅａｌｉｎｇ  ｌｉｐｓ）と封入チャンバー２の内部に固設された振動組立品３（ｏｓｃｉｌｌａｔａｂｌｅ  ａｓｓｅｍｂｌｙ）とが付属しており、封入チャンバー２と弾性密封リップ２１とを合わせて、前記振動組立品の高周波振動の空間を提供するとともに、霧化される液体が直接に前記振動組立品と接触するのを防止する仕切り壁を形成し、前記振動組立品３は隔膜３１（ｍｅｍｂｒａｎｅ）と、環状振動発生器３２  （ａｎ  ａｎｎｕｌａｒ  ｏｓｃｉｌｌａｔｉｏｎ  ｇｅｎｅｒａｔｏｒ）と、環状基板３３  （ａｎ  ａｎｎｕｌａｒ  ｓｕｂｓｔｒａｔｅ）と、を含む。この種の霧化器は、環状振動発器３２の振動移動空間として、弾性体からなる密封材１を覆い被せる代わりに、弾性密封リップ２１と、封入チャンバー２によって、仕切り壁が形成されているが、しかし、使用するときは、以下の解決すべき欠点がなお残されている。
【０００７】
引き続き図２Ｂ、米国特許ＵＳ  ７，８９１，３５２  Ｂ２号（特許文献２）の作動振動波の伝達態様図を参照する。図に示すように、振動組立品３の固定と密封機能がすべて係る２つの弾性密封リップ２１に依存するため、相当な支え作用力を加えないと、使用のときに振動組立品３が抜けてしまうか、または漏れ問題が引き起こされる。さらに、振動組立品３が高周波振動によって水分子を霧化するときは、前述した相当な挟持力量が振動組立品３の構造に作用して抑制働きを引き起こしてしまい、振動エネルギーを低下させるばかりでなく、ひいては霧化効果が影響される。
【０００８】
また、係る２つの弾性密封リップ２１が力を受けると、振動組立品３と封入チャンバー２など、境界場所の構造に隙間ができてしまい、汚染物を堆積して、霧化される液体または噴出されたエアゾールが汚染される。このほかに、係る封入チャンバー２と２つの弾性密封リップ２１によって、一つの空間を形成し外部の霧化される液体が仕切られているが、しかし、弾性密封リップ２１が弾性疲労して密着度が低下し、または浸食により漏れを発生すると、霧化される液体が直接その空間に流れて環状振動発生器３２を浸食し、霧化される液体または環状振動発生器３２の損傷を引き起こす。
【０００９】
さらに、２つの弾性密封リップ２１を振動組立品３の環状基板３３または環状振動発生器３２に設置しなければならない。しかし、隔膜３１と環状基板３３または環状振動発生器３２との接合面の硬化構造シール材または溶接材が外部に露出されるため、液体に接触した後に化学反応を引き起こし腐食破壊及び構造接着力が低下した結果、霧化器全体の構造が分解してしまい、使用寿命に影響を与える。
前述とおり、公知技術には霧化器の仕切り方式が多く提供されているが、残念ながら、霧化器の振動を抑制することができないばかりでなく、液体または薬液と霧化器の接合場所、または圧電アクチュエータとの接触を避けることができないため、汚染または破壊の恐れがあるため、これを改善する必要がある。
【課題を解決するための手段】
【００１０】
そのため、本発明の一目的は、２つの気室を備えた全密封式圧電霧化モジュールを提供する。第１ケーシングに内設する複数の第１位置決めバンプ（ｂｕｍｐ）と、第２ケーシングの内部に内設する複数の第２位置決めバンプ（ｂｕｍｐ）とを互いに組み込み、圧電式噴霧モジュールをその内部に組み込んで接着し、その内部をそれぞれ独立した第１気室と、第２気室とに仕切ることによって、振動時のエネルギー相殺または振動波の伝達効果の吸収及び抑制を軽減できるほか、優れた支え効果と自由振動の空間を提供して、噴霧効率を向上できる。さらに、第１気室と第２気室をそれぞれ独立させた設計は、二重バリアのようなシール隔離効果を有しており、圧電式噴霧モジュールが浸食または破壊される可能性が大幅に軽減される。このほかに、完全密封の設計によって、より良い防護効果が提供されると共に、その後の組立作業も極めて便利に行える。
【００１１】
前述目的を達成するため、本発明の２つの気室を備えた全密封式圧電霧化モジュールは、中心部に第１とおり穴を設け、内部に第１環状シール材通路を設けていて、かつ第１環状シール通路に少なくとも一つの第１位置決めバンプを設ける第１ケーシングと、中心部に第２とおり穴を設け、内部に第２環状シール材通路を設けていて、係る第２環状シール通路にて少なくとも一つの第２位置決めバンプを設ける第２ケーシングと、シール材を面一に注入する技術を用いてシール材を第１環状シール材通路と第２環状シール材通路に塗布し、周縁部をそれぞれ第１位置決めバンプと第２位置決めバンプに組み込んで接着固定することによって、第１ケーシングと、第２ケーシングを密閉したシール状態を形成すると共に、第１ケーシング、第２ケーシングを第１気室と、第２気室に仕切る圧電霧化モジュールと、を備える。
【００１２】
本発明は、第１位置決めバンプと第２位置決めバンプの設計によって、内部空間が第１気室と第２気室に仕切られ、圧電式霧化モジュールを第１ケーシングと第２ケーシングとの間に組み込み接着固定することによって、圧電式霧化モジュールが第１ケーシングと第２ケーシングとの接触機会を軽減し、圧電式霧化モジュールの作動に対する抑制及び振動エネルギーが吸収されることを避けられるほか、第１気室と第２気室によって、圧電式霧化モジュールに独立な振動空間を提供することができる。このほかに、たとえ第１ケーシングが長期に霧化される液体と接触していて、浸食または漏れの恐れがあるときは、本発明の独特な２つの独立した気室によって、漏れだした霧化される液体を第１気室に阻止しておき、圧電式霧化モジュールの圧電アクチュエータと使用されている硬化構造シール材または溶接材等が第２気室に設けられているため、霧化される液体と接触し化学反応を引き起こし、腐食破壊と構造の接着力低下を引き起こして、圧電式霧化モジュール構造全体の分解による、機能と寿命への影響を避けられると共に、噴出された霧化液体の汚染を避けられる。
【００１３】
このほかに、第１環状シール材通路と第２環状シール材通路によって、シール材の分布範囲が制限され、第１位置決めバンプと第２位置決めバンプの取付位置の高さと合わせて、シール材注入の厚みを制御できるほか、圧電式霧化モジュールの振動エネルギーの抑制または振動の伝達効果に影響し、噴霧の効果に影響することを避けられる。
【００１４】
一実施例において、組立便利性の向上と組立後の安定性を図るため、第１ケーシングの外壁表面に少なくとも一つの嵌め溝を凹設すると共に、第２ケーシングの外壁表面は、これらの嵌め溝に対応して少なくとも一つの係着部が延在され、第２ケーシングは係着部によって、第１ケーシングの嵌め溝に係着固定しておく。
【００１５】
一実施例において、第１ケーシングの表面に第１チェック穴を設けるか、または第２ケーシングの表面に第２チェック穴を設けるか、或いは第１ケーシングの表面に第１チェック穴を設けていて、かつ第２ケーシングの表面に第２チェック穴が設けられている。圧電式霧化モジュールを係る２つの気室を備えた全密封式圧電霧化モジュールの内部にシールするときは、第１気室と第２気室のシールの完全性をチェックする手段として、所定の気圧を加えるなど、シール効果を確保する。
【００１６】
さらに、第１ケーシング及び／または第２ケーシングの強度向上を図るため、第１ケーシングの内部に複数の第１肋材を設けるか、または第２ケーシングの内部に複数の第２肋材を設けるか、或いは第１ケーシングの内部に複数の第１肋材を設けるほかに第２ケーシングの内部にも複数の第２肋材を設けることができる。さらに、前述第１肋材及び／または第２肋材はそれぞれ第１とおり穴または第２とおり穴の円心を中心として、等間隔な放射状に分布させて設置することもできる。
【００１７】
一実施例において、第１ケーシングの外面は第１とおり穴に隣接する場所にアーチ面の構造を形成していて、かつ第２ケーシングの外面は第２とおり穴に隣接する場所にアーチ面の構造を形成して、噴霧及び液体伝搬の流暢性を向上できると共に、抵抗力を軽減し霧化効果を向上できる。
【００１８】
さらに、圧電式霧化モジュールと、第１とおり穴との間に使用するシール材及び圧電式霧化モジュールと、第２とおり穴との間に使用するシール材の両表面とも、外部に延在するアーチデザインを形成しているため、霧化液体がこの場所に蓄積されず、使用後の清掃作業に便利である。
【図面の簡単な説明】
【００１９】
【図１】米国特許ＵＳ  ７，７７１，６４２  Ｂ２号（特許文献１）の構造態様図                である。
【図２Ａ】米国特許ＵＳ  ７，８９１，３５２  Ｂ２号（特許文献２）の構造態様                図である。
【図２Ｂ】米国特許ＵＳ  ７，８９１，３５２  Ｂ２号（特許文献２）作動時の振                動波の伝達態様図である。
【図３】本発明の第１実施例における取り付け態様図である。
【図４】本発明の第１実施例における立体分解図（その１）である。
【図５】本発明の第１実施例における立体分解図（その２）である。
【図６】本発明の第１実施例における組立後の断面視図である。
【図７】本発明の第２実施例における立体分解図（その１）である。
【図８】本発明の第２実施例における立体分解図（その２）である。
【図９】本発明の第２実施例における組立後の断面図である。
【図１０Ａ】本発明の第２実施例における組立後の外観図である。
【図１０Ｂ】本発明の第２実施例における取り付け後のもう一つの外観態様図であ                る。
【図１１】本発明の第２実施例における作動時の振動波の伝達態様図である。
【発明を実施するための形態】
【００２０】
審査官の方々が本発明の内容のさらなる理解を図るため、以下にて図面と合わせて説明する。ご参照ください。
【００２１】
図３ないし６、本発明の第１実施例における取り付け態様図と、各視角による立体分解図と、組み立て後の断面図とを参照する。図に示すように、本発明の２つの気室を備えた全密封式圧電霧化モジュール４を霧化器５に取り付けて、霧化される液体６を霧化して噴出させる。２つの気室を備えた全密封式圧電霧化モジュール４は第１ケーシング４１と、第２ケーシング４２と、圧電霧化モジュール４３と、を備える。
【００２２】
そのうち、第１ケーシング４１は環状構造体を形成し、霧化器５の液体噴出場所（または液体出口）に対応して固設され、第１ケーシング４１の円心部に第１とおり穴４１１を有しており、第１ケーシング４１の内部に第１シール材通路４１２を設けていて、かつ第１シール材通路４１２にて複数の第１位置決め突起ブロック４１３を設けている。
【００２３】
第２ケーシング４２は第１ケーシング４１と同じく環状の構造体を形成していて、かつ第２ケーシング４２の円心部に第２とおり穴４２１が設けられ、第２ケーシング４２の内部に第２環状通路４２２を有し、第２環状通路４２２にて複数の第２位置決めバンプ４２３が設けられている。
【００２４】
係る圧電式霧化モジュール４３は、よく見かける市販の２片式圧電式霧化モジュール４３または３片式圧電式霧化モジュール４３から選択できる。図に示すように、本実施例において３片式圧電式霧化モジュール４３が選択されている。圧電式霧化モジュール４３は、圧電アクチュエータ４３１と、霧化素子４３２と、構造シート４３３から構成されている。そのうち、圧電アクチュエータ４３１はチタン酸塩部材からなる圧電セラミックを仕上げた環状構造体である。霧化素子４３２は例えば、ポリイミド（Ｐｏｌｙｉｍｉｄｅ）、ポリエチレン（Ｐｏｌｙｅｔｈｙｌｅｎｅ，  ＰＥ）、ポリプロピレン（Ｐｏｌｙｐｒｏｐｙｌｅｎｅ，  ＰＰ）及びポリエーテルエーテルケトン（Ｐｏｌｙｅｔｈｅｒｅｔｈｅｒｋｅｔｏｎｅ，  ＰＥＥＫ）またはいずれかの高性能エンジニアリングプラスチック、あるいは金属部材から仕上げられたディスク状構造体から選択される。さらに、霧化素子４３２の中央部は圧電アクチュエータ４３１中心の貫通孔（符号をつけていない）に対応して、複数の噴霧穴が設けられている。構造シート４３３は耐食部材から仕上げられたディスク状構造体であり、かつ構造シート４３３の寸法が圧電アクチュエータ４３１よりやや大きく、圧電アクチュエータ４３１は構造シート４３３が霧化器５の液体出口の反対側と整合して固設していて、通電後に振動エネルギーを発生し、霧化素子４３２によって、霧化液体６を霧化したうえ噴出させる。
【００２５】
本発明を組み立てるときは、面一に注入する技術を用いてシール材４４を第１環状シール材通路４１２と、第２環状シール材通路４２２の内部に塗布し、圧電式霧化モジュール４３（本実施例において、特に構造シート４３３を指す。）の周縁部を第１位置決めバンプ４１３と、第２位置決めバンプ４２３と互いに組み合わせた後、シール材４４によって接着固定する。同時に、第１ケーシング４１と第２ケーシング４２とも同じく係るシール材４４を用いて接着し、密閉したシール状態を形成する。よって、本発明は圧電式霧化モジュール４３によって、第１ケーシング４１と第２ケーシング４２が結合された空間に第１気室７と、第２気室８が仕切られる。本発明は第１位置決めバンプ４１３と第２位置決めバンプ４２３を上下両面から圧電式霧化モジュール４３の周縁部に組み込むことによって、第１ケーシング４１と第２ケーシング４２が圧電式霧化モジュール４３に直接接触する面積を少なくし、圧電式霧化モジュール４３の作動が抑制されることと、振動エネルギーが吸収されることを避ける。さらに、第２気室８によって、圧電アクチュエータ４３１に独立な振動空間を与えられている。さらに、第２ケーシング４２と圧電式霧化モジュール４３との接合場所も同じくシール材４４によって接着密封しておき、霧化液体６が第１ケーシング４１または第２ケーシング４２の内部に流入されることを有効に阻止できる。外部の力を第１ケーシング４１と第２ケーシング４２に加えたときは、その大部分の作用力は第１ケーシング４１と第２ケーシング４２の側壁に導かれる。さらに、第１実施例において、第２ケーシング４２は薄いケーシングで設計しており、構想が不十分過ぎて、支持と保護効果が提供できない対策として、第２ケーシング４２の内部に複数の第２肋材４２６を設け、これらの第２肋材４２６が第２とおり穴４２１の円心を中心として、等間隔に放射状に分布して設置されているため、作用力が第２ケーシング４２から圧電式霧化モジュール４３に伝達されることを有効に避けることができる。
【００２６】
図７ないし９、本発明の第２実施例の各角度による立体分解図と組立後の断面図を参照する。図に示す本発明の第２実施例の構成品及び構造が第１実施例とほぼ同じのため、重複するものは、ここでの説明を省略する。第２実施例において、２つの気室を備えた全密封式圧電霧化モジュール４の組立後の安定性をさらに向上させるため、第１ケーシング４１の外壁表面に複数の嵌め溝４１４を凹設していて、かつ第２ケーシング４２の外壁表面にて、それらの嵌め溝４１４に対応して複数の係着部４２４を延設し、第２ケーシング４２はそれらの係着部４２４によって、第１ケーシング４１の嵌め溝４１４に係着固定させ、接合場所は同じくシール材４４を用いて接着固定して置く。
【００２７】
引き続き、以上の図面をそれぞれ参照する。気圧測定に備えた第１ケーシング４１の表面に第１チェック穴４１５が設けられ、第２ケーシング４２の表面に第２チェック穴４２５が設けられている。特に注意したいことは、パッケージ完了後、第１チェック穴４１５と第２チェック穴４２５とは密閉状態を形成する。
【００２８】
そのうち、第１ケーシング４１の外面には、第１とおり穴４１１と隣接する場所にテーパー状の円弧デザインのアーチ面構造が形成され、入口のところに液体交換の気泡がたまる現象を軽減し、液体のスムーズな噴出に便利である。このほかに、第２ケーシング４２の外面には、第２とおり穴４２１に隣接する場所にテーパー状の弧面デザインを施して、霧化液体６がケーシングの壁面にへばりつかずスムーズに噴出でき、霧化効果が向上する。このほかに、圧電式霧化モジュール４３と第１とおり穴４１１との間に使用するシール材４４及び圧電式霧化モジュール４３と第２とおり穴４１２との間に使用するシール材４４の両表面とも、外部に延在するアーチデザインを形成しており、霧化液体がこの場所に蓄積されず、使用後の清掃作業に便利できる。
【００２９】
引き続き、図１０Ａと図１０Ｂ、本発明の第２実施例における取り付け後の外観態様図を参照する。図に示すように、第１ケーシング４１と第２ケーシング４３が環状構造体を形成しているが、ただし、環状構造体に限られず、さらに、第１ケーシング４１と第２ケーシング４３とを釣り合わない外形に仕上げることもできる。その外形は例えば三角形、矩形、対称の多辺形または霧化器５の液体出口に合わせた外形であっても良い。内部に圧電式霧化モジュール４３を設けて、本発明の特許効果を達成できるものであれば、すべて本発明の実用新案登録の範囲に含めるべきである。
【００３０】
引き続き図１１、本発明の第２実施例における作動時の振動波伝達態様図を参照する。図に示すとおり、本発明の主な特徴は第１ケーシング４１と、第２ケーシング４２と、圧電式霧化モジュール４３から構成される。内部に独立した中空状の第１気室７と第２気室８とを仕切ると同時に、圧電アクチュエータ４３１が第２気室８の内部に隔離されている。弾性を有するシール材４４と、第１位置決めバンプ４１３と、第２位置決めバンプ４２３とを用いて、圧電式霧化モジュール５をその内部に固定して置き、圧電式霧化モジュール４３１が第１位置決めバンプ４１３と、第２位置決めバンプ４２３のみに組み込まれているため、高周波振動のときの余計な構造によって、挟持力を軽減するか、または振動エネルギーの伝達効果を吸収することを軽減し、霧化効率を維持できる。さらに、第１ケーシング４１が霧化液体６に長時間接触されるため、浸食により漏れの恐れがある。そのため、本発明で採用された独立した２つの気室の設計は、漏れ出した霧化液体６を第１気室７の内部に隔離して置き、圧電アクチュエータ４３１及びこれに使用された固化構造または溶接部材などを第２気室８内部に隔離しているため、浸食されることなく汚染または破損などの問題も発生せず、機能と使用寿命が確保される。
【符号の説明】
【００３１】
１    密封部材
１１    霧化素子
１２    振動素子
１３    アクチュエータ
２    密封チャンバー
２１    弾性密封リップ
３１    隔膜
３２    環状振動発生器
３３    環状基板
４    ２つの気室を備えた全密封式圧電霧化モジュール
４１    第１ケーシング
４１１    第１とおり穴
４１２    第１環状シール材通路
４１３    第１位置決めバンプ
４１４    嵌め溝
４１５    第１チェック穴
４１６    第１肋材
４２    第２ケーシング
４２１    第２とおり穴
４２２    第２環状シール材通路
４２３    第２位置決めバンプ
４２４    係着部
４２５    第２チェック穴
４２６    第２肋材
４３    圧電霧化モジュール
４３１    圧電アクチュエータ
４３２    霧化素子
４３２１    噴霧穴
４３３    構造シート
４４    シール材
５    霧化器
６    霧化される液体
７    第１気室
８    第２気室
【図１】
0005898729.tif 000002
【図２Ａ】
0005898729.tif 000003
【図２Ｂ】
0005898729.tif 000004
【図３】
0005898729.tif 000005
【図４】
0005898729.tif 000006
【図５】
0005898729.tif 000007
【図６】
0005898729.tif 000008
【図７】
0005898729.tif 000009
【図８】
0005898729.tif 000010
【図９】
0005898729.tif 000011
【図１０Ａ】
0005898729.tif 000012
【図１０Ｂ】
0005898729.tif 000013
【図１１】
0005898729.tif 000014